(57)【要約】長距離電気通信システムを介して、国内開始ポイント（１２０）から国際終了ポイント（１６０）へのコレクトコールにおける不正を防ぐための方法および装置（１００）が記述されている。システムおよび方法において、国際呼び出しデータベース（１７０）のためのスクリーニングが、呼び出し処理システムプラットフォーム（１５０）に対して追加される。国際呼び出しデータベース（１７０）のスクリーニングは国コードによって入力されるレコードを含み、各レコードはコレクトコールの受信から遮断される宛先番号を使用して、遮断されたコレクトコールフィールドを有する。国内から国際へのコレクトコールがなされると、コレクトコールの国際終了ポイントの国コードに対応するレコードは、国際呼び出しデータベース（１７０）に対するスクリーニングから検索される。このレコードは、コレクトコールの宛先番号が国コードのデータベースレコードの遮断されたコレクトコールフィールドに載っている宛先番号のいずれかに合致しているかどうかを判定するために照合される。合致すると、呼び出しは遮断される。
2004537194.tif 000002
【特許請求の範囲】
【請求項１】
長距離電気通信システムを介して、国内開始ポイントから国際終了ポイントへのコレクトコールにおける不正を防ぐための方法であって、
ａ）国際データベースにおいて少なくとも一つのレコードを維持するステップを含み、各レコードは国際地域に関し、各レコードはラベルを貼るためのラベルフィールドを有し、
ｂ）コレクトコールの呼び出し処理の間に国際データベースレコードにアクセスするステップを含み、前記コレクトコールの国際終了ポイントは前記国際データベースレコードに関する国際地域内に位置し、
ｃ）前記国際終了ポイントに関するラベルは前記国際データベースレコードのラベルフィールドにおける一以上のラベルに合致するかを判定するステップと、
ｄ）ステップ（ｃ）において合致すると判定されると呼び出しを遮断するステップを含む、方法。
【請求項２】
各国際終了ポイントは位置番号と、位置番号の一部あるいは完全な位置番号のいずれか一つに対応する各ラベル有する、請求項１に記載の方法。
【請求項３】
ステップ（ｃ）のコレクトコールに関するラベルは、コレクトコールの国際終了ポイントの完全な位置番号であり、ラベルフィールドに貼られたラベルは完全な位置番号の最も左部分の数字を表す一部かあるいは完全な位置番号であり、判定するステップ（ｃ）はさらに、
国際終了ポイントの完全な位置番号の数字の最も左部分あるいは数字全体が、前記国際データベースレコードのラベルフィールドにおけるラベルに合致するかを判定するステップを含む、請求項２に記載の方法。
【請求項４】
コレクトコールは特別のサービス呼び出しであり、ステップ（ｂ）、（ｃ）および（ｄ）は呼び出し処理プラットフォームで実行される、請求項１に記載の方法。
【請求項５】
一以上のラベルによって表される国際終了ポイントへのコレクトコールが高い不正と収入割合あるいは疑いのある行動を示すとき、不正制御システムによって少なくとも一つの国際データベースレコードのラベルフィールドに一以上のラベルを貼るステップをさらに含む、請求項３に記載の方法。
【請求項６】
一以上のラベルによって表される国際終了ポイントへのコレクトコールが前記国際終了ポイントに関する顧客アカウント上で未払いの残高を有するとき、不正制御システムによって少なくとも一つの国際データベースレコードのラベルフィールドに一以上のラベルを貼るステップをさらに含む、請求項３に記載の方法。
【請求項７】
国際データベースレコードに関する国際地域は国である、請求項１に記載の方法。
【請求項８】
長距離電気通信システムを介して国内開始ポイントから国際終了ポイントへのコレクトコールにおける不正を防ぐためのシステムであって、
少なくとも一つのレコードを維持するための国際データベースを含み、各レコードは国際地域に関し、各レコードはラベルフィールドを有し、
前記呼び出しの呼び出し処理の間に、前記国際データベースレコードがアクセスされるとき、コレクトコールに関するラベルが、国際データベースレコードのラベルフィールドにおける一以上のラベルに合致するかを判定するための手段を含み、国際終了ポイントは前記国際データベースレコードに関する国際地域内に存在する前記呼び出しであり、
前記コレクトコールに関するラベルが国際データベースレコードのラベルフィールドにおける一以上のラベルに合致すると判定されると、呼び出しを遮断するための手段を含む、システム。
【請求項９】
各国際終了ポイントは位置番号を有し、各ラベルは、位置番号の一部あるいは完全な位置番号のいずれか一つに対応する各ラベルを有する、請求項８に記載のシステム。
【請求項１０】
コレクトコールに関するラベルはコレクトコールの国際終了ポイントの完全な位置番号であり、ラベルフィールドに貼られたラベルは完全な位置番号の最も左部分の数字を表す部分かあるいは完全な位置番号のいずれかであり、判定手段は、国際終了ポイントの完全な位置番号の最も左部分の数字あるいは数字全体が、前記国際データベースレコードのラベルフィールドのラベルに合致するかをさらに判定する、請求項９に記載のシステム。
【請求項１１】
呼び出し処理プラットフォームは判定する手段と遮断する手段をさらに含む、請求項８に記載のシステム。
【請求項１２】
一以上のラベルによって表される国際終了ポイントへのコレクトコールが高い不正と収入割合あるいは疑いのある行動を示すとき、少なくとも一つの国際データベースレコードのラベルフィールドに一以上のラベルを貼るための不正制御システムをさらに含む、請求項１０に記載のシステム。
【請求項１３】
一以上のラベルによって表される国際終了ポイントへのコレクトコールが、前記国際終了ポイントに関する顧客アカウント上で未払いの残高を有しているとき、不正制御システムは少なくとも一つの国際データベースレコードのラベルフィールドに一以上のラベルをさらに貼る、請求項１２に記載のシステム。
【請求項１４】
国際データベースレコードに関する国際地域は国である、請求項８に記載のシステム。
【請求項１５】
長距離電気通信システムを介して国内開始ポイントから国際終了ポイントへのコレクトコールにおいて不正を防ぐための方法であって、前記コレクトコールは国際終了ポイントに対応する国コードおよび位置番号を有し、
ａ）国際データベースから国コードへ入力されたレコードを検索するステップを含み、前記国際データベースレコードは遮断されたコレクトコールに対するフィールドを有し、前記遮断されたコレクトコールフィールドは完全な位置番号の最も左部分の数字を表す部分かあるいは完全な位置番号の一以上を記載するために使用され、
ｂ）検索された国コードレコードの遮断されたコレクトコールフィールドに記載の完全な位置番号の最も左部分の数字を表す部分かあるいは完全な位置番号の少なくとも一つが、前記呼び出しの国際終了ポイントに対応する位置番号の最初の数字に合致するかを判定するステップと、
ｃ）ステップ（ｂ）で合致が発見された場合、前記呼び出しを遮断するステップを含む、方法。
【請求項１６】
国コードレコードの遮断されたコレクトコールフィールドに、完全な位置番号の最も左部分の数字を表す部分かあるいは、完全な位置番号を置くのは、完全な位置番号の最も左部分の数字を表す部分かあるいは完全な位置番号のいずれかの前記一以上に対応する国際終了エリアへの呼び出しが、疑いのある活動パターンを示すかあるいは、前記一以上の遮断された番号に対応する前記国際終了エリアへのコレクトコールが高い不正と収入割合を示すときであるステップをさらに含む、請求項１５に記載の方法。
【請求項１７】
遮断するステップ（ｃ）はさらに、
呼び出し者を活動しているオペレータに接続するステップと、
呼び出し者を国際終了番号の遮断された状態を呼び出し者に知らせる自動化メッセージに接続するステップと、
呼び出し者を切断するステップの一つを含む、請求項１５に記載の方法。
【請求項１８】
判定するステップはさらに、
少なくとも一つのエントリが検索された国際データベースレコードの遮断されたコレクトコールフィールドに記載されているかを判定するステップと、
エントリが検索された国際データベースレコードの遮断されたコレクトコールフィールドに記載されていると判定されたとき、検索された国際データベースレコードの遮断されたコレクトコールフィールドに記載されている完全な位置番号の最も左部分の数字を表す部分か、あるいは完全な位置番号が、前記コレクトコールの国際終了ポイントに対応する位置番号の最初の数字に合致するかを判定するステップとを含む、請求項１５に記載の方法。
【請求項１９】
長距離電気通信システムを介して、国内開始ポイントから国際終了ポイントへのコレクトコールにおける不正を防ぐためのシステムであって、前記コレクトコールは国際終了ポイントに対応する国コードと位置番号を有し、
レコードを維持するための国際データベースを含み、各レコードは国コードに入力され、各レコードは遮断されたコレクトコールフィールドを有し、前記遮断されたコレクトコールフィールドは完全な位置番号の最も左部分の数字を表す部分かあるいは、完全な位置番号の一以上を記載するために使用され、
前記呼び出しの呼び出し処理の間、国コードの国際データベースレコードを検索するための手段を含み、前記国コードは国際終了ポイントに対応した国コードであり、
検索された国際データベースレコードの遮断されたコレクトコールフィールドに記載の完全な位置番号の最も左部分の数字を表す部分か、あるいは完全な位置番号の少なくとも一つが、前記呼び出しの国際終了ポイントに対応した位置番号の最初の数字に合致するかを判定するための手段と、
判定手段が合致があると判定すると、前記呼び出しを遮断するための手段とを含む、システム。
【請求項２０】
検索手段、判定手段、および遮断手段を有する呼び出し処理プラットフォームと、
呼び出し処理プラットフォームと国際データベース間で通信するための手段をさらに含む、請求項１９に記載の装置。
【請求項２１】
完全な位置番号の最も左部分の数字を表す部分か、あるいは完全な位置番号のいずれかの一以上に対応した、国際終了エリアへの呼び出しが活動の疑わしいパターンかあるいは高い不正と収入の割合を示すとき、国際データベースレコードの遮断されたコレクトコールフィールドに前記完全な位置番号の最も左部分の数字を表す部分か、あるいは完全な位置番号のいずれかの一以上を置くための不正制御システムをさらに含む、請求項１９に記載の装置。
【発明の詳細な説明】
【背景】
【０００１】
１．技術分野
この出願は一般に電気通信システムにおける不正制御に関し、特に、長距離電気通信ネットワークにおける国内開始ポイントから国際終了ポイントへのコレクトコールにおける不正を防ぐことに関する。
【０００２】
２．関連技術の説明
電気通信産業は、顧客が自分の電話呼び出しに対して請求される方法において、かなりの変化を経験してきている。開始呼び出し者に請求する以前の単純な方法から、電気通信顧客に対してより大きな柔軟性を許可しながら、多くの方法が開発されている。自宅やオフィスから離れて電話呼び出しを行うための顕著な方法は、呼び出しを請求するためにコレクトコール計画を利用することによる。この計画において、接続の終了点の当事者が呼び出しに関する請求を支払う。この方法はこの発明の主題である、国際宛先を含むようにもなっている。
【０００３】
コレクトコールの顧客は受信当事者のアカウントに請求されるだろう呼び出しを行うために、公衆の設備を含む、あらゆる電話設備を使用してもよい。国内に呼び出しをするときは、コレクトコールを行うプロセスは「０」あるいは「１−８００−ＣＯＬＬＥＣＴ」のような、アクセス番号をダイアルし、自動音声指示メッセージあるいはオペレータを待ち、そして呼び出し当事者の名前および呼ばれた当事者の番号を入力することを典型的に含む。その後、終了当事者との接続がなされ、呼ばれた当事者からの許可が求められる。許可が与えられると、呼び出しは解放され、当事者は会話を続ける。これらのコレクトコールは「特別のサービス」呼び出しと呼ばれる電話呼び出しの分類の一タイプである。「７００」「８００／８８８」および「９００」の番号呼び出しを含むこれらの特別のサービス呼び出しは、最新の電気通信ネットワークが直接長距離ダイアルを超えて、多くのサービスを提供することを許可する。無料通話呼び出し、コーリングカード呼び出し、特別料金呼び出し等を許可するこの特別サービス呼び出し処理を提供するのは、長距離通信業者である。
【０００４】
国内コレクトコールの例が、図１Ａ、１Ｂおよび２を参照してここで述べられる。図１Ａおよび１Ｂでは、電話１１１の呼び出し者は、電話１９９へコレクトコールをしたいと望んでいる。呼び出し者はコレクトコールを開始するために、アクセスコードあるいは「０」および終了番号を入力してもよい。呼び出しはそれからローカルエクスチェンジキャリア（Local Exchange Carrier,ＬＥＣ）１２０を介して経路制御される。ローカルエクスチェンジキャリアはリージョナル・ベル・オペレーティング・カンパニ（ＲＢＯＣｓ）のような、顧客に対してローカルの送信サービスを提供するローカルの電話会社に関係する。この説明の目的として、呼び出しは長距離終了ポイントかあるいは長距離通信業者に経路制御されるアクセスコードにダイアルされた電話１１１の呼び出し者のいずれかに向けられると仮定する。いずれにしても、呼び出しは長距離電気通信会社に経路制御されるだろう。特に、ＬＥＣのルータは呼び出しを適切な長距離通信業者（あるいは相互交換キャリア,inter-Exchange Carrier,ＩＸＣ）１３０に転送する。
【０００５】
ＬＥＣスイッチ１２２および１２４を介した切換の後、コレクトコールはＰＯＰ（Point-of-Presence）スイッチ１２５からＩＸＣ１３０へ、そしてＩＸＣスイッチ１３７および１３２を介してブリッジスイッチ１３５へ経路制御される。ブリッジスイッチ１３５の目的は、ＩＸＣネットワークから呼び出しを受信し、それらを自動呼び出し分配器（ＡＣＤ）１４０へ、そして最後にはインテリジェントサービスネットワークプラットフォーム（ＩＳＮ）１５０へブリッジすることである。特別サービス呼び出しは特別の呼び出し処理を必要とするので、典型的にはＩＳＮプラットフォーム１５０のような呼び出し処理プラットフォームに経路制御される。ＩＸＣ内にはＩＳＮが多くあるが、この発明を理解するには、一つのＩＳＮで十分であろう。
【０００６】
ＩＳＮプラットフォーム１５０の模範的で単純化された図が、図２を参照してここで述べられる。ＡＣＤ１４０はアプリケーションプロセッサＡＰＰ１５６の直接の制御下にあり、ＡＰＰ１５６はＩＳＮ１５０における呼び出しルーティング制御のための中心ポイントとして機能する汎用コンピュータである。コレクトコールがＡＣＤ１４０に到着すると、ＡＣＤ１４０は呼び出しがどのように処理されるべきかについての指示のために、ＡＰＰ１５６に要求を行う。そのような要求は、使用されると、アクセスコードとともに、例えば宛先番号、あるいは呼び出しの自動番号識別子（ＡＮＩ）のような、呼び出しに関係する情報によって伴われるであろう。ＡＰＰ１５６は呼び出しがコレクトコールであることを認識し、その結果ＡＰＰ１５６はＡＣＤ１４０に呼び出しを適切なキューに伝送するよう指示を出すであろう。この場合、ＡＰＰ１５６はそれをマニュアル電気通信オペレータコンソール（ＭＴＯＣ）１５４の活動しているオペレータかあるいは自動応答ユニット（ＡＲＵ）１５２のいずれかに送信してもよい。ＡＲＵ１５２は二つの要素を含み、一つは呼び出しを処理し、もう一つは呼び出し者を音声応答システムに促がす。呼び出し者に所望の最終宛先番号（最初に入力されていない場合）、呼び出し当事者の名前、およびあらゆる追加情報を求めるのはＡＲＵ１５２である。活動しているオペレータが使用されると、オペレータはＭＴＯＣ１５４で同様の情報を入力する。呼び出しがＡＲＵ１５２あるいはＭＴＯＣ１５４へ経路制御されても、同じ情報が入力されるだろう。言い換えると、ＭＴＯＣ１５４のオペレータあるいはＡＲＵ１５２への自分の電話１１１での呼び出し者によって入力されるかに関係なく、呼び出し当事者の名前のような項目は入力されなければならない。
【０００７】
ＩＳＮプラットフォーム１５０内の各種要素はイーサネットあるいはＤＥＣＮｅｔのようなローカルエリアネットワーク（ＬＡＮ）１５８によって接続される。コレクトコールがＡＲＵ１５２あるいはＭＴＯＣ１５４のいずれで処理されているかに関わらず、最終宛先、支払い当事者の電話１９９に関係する一定の検証情報は入手される必要がある。例えば、宛先番号が公衆電話であるかどうかは、不正が避けられるために、宛先番号を呼び出す前に判定される必要がある。これおよび他の理由のために、ベル会社は１９８０年代の始めにライン情報データベース（ＬＩＤＢ）システムを開発した。これはクレジットの検証に関係する情報を提供するすべての電気通信スイッチからアクセス可能な中心データベースである。ＬＥＣおよびＩＸＣはＬＩＤＢにアクセスし、それを呼び出しクレジット検証のために使用する。この関係の簡単な概要が図１および２で示され、ＬＩＤＢ１７０はＩＳＮ１５０へ直接接続され、ＬＥＣ１２０および１６０と情報を共有する。これは、実際のシステムが多重のＬＩＤＢから成り、各ＬＥＣが絶えず情報を共有し、他のＬＩＤＢを更新する、集中したＬＩＤＢを維持するために、単純化される。ＬＥＣ１６０に対する集中したＬＩＤＢは、ＬＥＣ１６０によって供給されたあらゆる終了ポイント上の情報に対する最初の送信元である。ＩＸＣは頻繁にアクセスされる他のＬＩＤＢの番号、および、他のシステムが、カード所有者に関する情報を得るための独自のローカルのコピーを保持してもよい。個々のＬＥＣあるいはＩＸＣ内でさえ、集中したＬＩＤＢとＬＩＤＢ情報を使用する自動スイッチあるいはラインオペレータの間に多重の媒介者が存在する。例えば、ＩＳＮプラットフォーム１５０はより速いアクセスのためにＬＩＤＢ１７０のローカルコピーをしばしば維持するであろう。しかしながら、当業者は理解するであろうように、システム全体は一つのＬＩＤＢとしてしばしば参照される。
【０００８】
我々の例において、ＭＴＯＣ１５４もしくはＡＲＵ１５２のいずれかは、図２に示されているように、ＬＡＮ１５８を介してＬＩＤＢ１７０にアクセスする。ＭＴＯＣ１５４あるいはＡＲＵ１５２がコレクトコールの許可のために呼ばれた当事者にコンタクトする前に、ＬＩＤＢ１７０は宛先番号、あるいは呼ばれた当事者のクレジットを検証する。ひとたび呼び出しが認可されたクレジットであると、ＡＲＵ１５２あるいはＭＴＯＣ１５４のいずれかが図１Ｂに示されているように、呼び出しの終了レグに接続する。終了レグはＩＸＣスイッチ１３２、１３１および１３３を介して、ＬＥＣ１６０のＰＯＰスイッチ１６６まで達する。ひとたびＬＥＣ１６０に入ると、呼び出しはＬＥＣスイッチ１６４および１６２を介して呼ばれた当事者電話１９９に切り換えられる。もし誰かが電話１９９で応答すると、ＡＲＵ１５２あるいはＭＴＯＣ１５４のいずれかが呼ばれた当事者からの許可を得ようと試みる。許可が得られると、ＡＲＵ１５２あるいはＭＴＯＣ１５４のいずれかがＩＸＣネットワーク１３０の自動スイッチに呼び出しを解放する。これは、呼び出しがブリッジスイッチ１３５から分裂され、呼び出しの持続のためにＩＸＣスイッチによって維持されることを意味する。呼ばれた当事者が呼び出しの許可を断ると、呼び出しの終了レグは切断される。
【０００９】
不正制御コンソール１００に位置する不正分析者あるいは自動化プログラムはまた情報を読むかあるいは変えるために、ＬＩＤＢ１７０にアクセスできる。不正制御１００はＩＸＣネットワーク１３０上のトラフィックをモニタし、疑わしい活動を隔離するよう試みる。トラフィックが不正活動の兆候を示すと、閾値は警告を発するために維持される。不正制御１００がある終了電話で不正活動を見つけると、不正制御１００は終了ＡＮＩがそれ以上コレクトコールを受信しないように、ＬＩＤＢ１７０に入り、レコードを変更してもよい。
【００１０】
しかしながら、ＬＩＤＢ１７０を使用して不正なコレクトコールを遮断するこの方法は、国内で開始し国際的な場所で終了するコレクトコールに対してはどうしようもない。上で述べたような状況とは異なって、イギリスあるいはチリのような国との国際レベルで維持されるＬＩＤＢは存在しない。例えば、図３の電話１１１の呼び出し者が、電話、この場合ではイギリスの自動車３９９の携帯電話にコレクトコールをしようと試みると、呼び出しは異なって処理される。コレクトコールは依然ＬＥＣ１２０、ＩＸＣスイッチ１３７と１３２、およびブリッジスイッチ１３５を介してＡＣＤ１４０およびＩＳＮプラットフォーム１５０へと進むが、ＩＳＮプラットフォーム１５０におけるプロセスは異なる。国際的なＬＩＤＢが存在しないので、ＭＴＯＣ１５４あるいはＡＲＵ１５２のいずれも、他国の電気通信業者、この場合ブリティッシュテレコム３１５にコンタクトすることを除いては、クレジットの検証への試みをしないだろう。ブリティッシュテレコム３１５のオペレータ、ＭＴＯＣ１５４のオペレータ、あるいはＡＲＵ１５２の自動化プログラムのいずれが呼ばれた当事者との最終接続を行うかに関わらず、呼び出しの最終宛先、つまり自動車３９９の携帯電話を検証するのは、外国電話会社、すなわちブリティッシュテレコム３１５である。しかし、外国電話会社は自身の動作エリアにおいて全電話についての十分なレコードを維持しないことがしばしばあるので、ＩＸＣネットワーク１３０が誰も支払わないであろう長距離接続を最後には維持するであろう。これは外国の携帯電話において特に真実である。というのは、携帯電話はベースステーション３１２との無線リンクを介して電話ネットワークと自身の接続を維持するからである。携帯電話は、電話線の切断あるいは呼び出しの遮断を行う固定の位置を有さず、実際にとても有効なローカル検証システムなしでは、簡単に不正に使用され得る。
【００１１】
従って、長距離電気通信システムを介して、国内開始ポイントから国際終了ポイントへの不正なコレクトコールを遮断する必要がある。さらに、呼び出しを遮断する方法が、長距離電気通信システム内で維持されなければならない。
【００１２】
この発明の一つの目的は、長距離電気通信ネットワークにおける終了宛先を疑う国内から国際へのコレクトコールを遮断するシステムおよび方法を提供することである。
【００１３】
この発明の別の目的は、長距離電気通信ネットワークにおける国内から国際へのコレクトコールのためのスクリーニングデータベースを提供するシステムおよび方法を提供することである。
【００１４】
上述および他の目的を達成するために、長距離電気通信システムを介して国内開始ポイントから国際終了ポイントへの国際コレクトコールにおける不正を防ぐためのシステムおよび方法が開示されている。システムおよび方法において、「国際呼び出しのためのスクリーニング」データベースがＩＳＮプラットフォームに追加される。この国際呼び出しのスクリーニングデータベースは国コードによって入力されるレコードを含み、各レコードは受信したコレクトコールから遮断される宛先番号あるいは宛先番号の一部を載せる遮断されたコレクトコールフィールドを有する。国内から国際へのコレクトコールがなされると、コレクトコールの国際終了ポイントの国コードに対応するレコードは、国際呼び出しのスクリーニングデータベースから検索される。このレコードは、コレクトコールの宛先番号が、国コードのデータベースレコードの遮断されたコレクトコールフィールドに記載の宛先番号に合致するかどうかを判定するために検査される。合致すると、呼び出しは遮断される。
【好ましい実施例の詳細な説明】
【００１５】
以下の記述において、「ネットワーク」という単語は電気通信ネットワークを生成するのに必要とされるデータベース、トランクおよび電話線、ルータ、スイッチ、プロトコルおよびコンピュータの凝集の簡略した表現記述である。
【００１６】
要するに、このシステムおよび方法の好ましい実施例は、特定の国際終了宛先がコレクトコールの受信を遮断することを許可する。国際的な国は各々関連する国コード（ＣＣ）を有し、レコードは各ＣＣに対して維持される。好ましい実施例はＣＣを使用するが、州や市のようなより小さなユニットを提示するコードが使用され得る。これらＣＣレコードは国際呼び出しのスクリーニングデータベース（ＳＣＲＥＥＮＩＮＧ  ＩＮＴＥＲＮＡＴ’Ｌ）４６０内で維持され、図４に示されているように、ＩＳＮプラットフォーム１５０に追加される。ＳＣＲＥＥＮＩＮＧ  ＩＮＴＥＲＮＡＴ’Ｌ４６０は他の実施例においてＩＳＮプラットフォーム１５０の外に位置され得るが、不正制御１００とＩＳＮプラットフォーム１５０の両方はそれにある程度アクセスしなければならない。好ましい実施例において、ＬＩＤＢと同様の方法で、ＩＸＣネットワーク１３０全体に対する集中したＳＣＲＥＥＮＩＮＧ  ＩＮＴＥＲＮＡＴ’Ｌデータベースが存在し、より小さいローカルコピーが電気通信システム中の適切な所で維持される。ＬＩＤＢと同様に、ＳＣＲＥＥＮＩＮＧ  ＩＮＴＥＲＮＡＴ’Ｌデータベースはこの出願における単一のユニットとして参照されるだろう。
【００１７】
国際呼び出しのスクリーニングデータベースにおけるＣＣレコードは国コードによって入力され、請求製品（コーリングカード、コレクトコール、第三者呼び出しなど）の分類、呼び出しのタイプ、遮断された宛先電話番号（以下「宛先番号」）に関係する情報を含む。特に、遮断されたコレクトコールフィールドはＳＣＲＥＥＮＩＮＧ  ＩＮＴＥＲＮＡＴ’Ｌ４６０データベースにおけるＣＣレコードに追加され、ＣＣレコードのそのフィールドに記載のあらゆる宛先番号はコレクトコールを受信しないよう遮断される。言い換えると、国内から国際へのコレクトコールがなされると、特定の宛先国あるいは国コードのＣＣレコードはＳＣＲＥＥＮＩＮＧ  ＩＮＴＥＲＮＡＴ’Ｌ４６０内を調べられ、呼び出しの終了宛先番号がＣＣレコードの遮断されたコレクトコールフィールドに載っているかどうかが判定される。載っていれば、コレクトコールは遮断される。
【００１８】
好ましい実施例において、図４の不正制御コンソール１００は、特定の国においてどの終了宛先番号がコレクトコールを受信しないよう遮断されるかを判定する。ＳＣＲＥＥＮＩＮＧ  ＩＮＴＥＲＮＡＴ’Ｌ４６０データベースにおいて入力される不正な宛先番号を確かめるために、多くの方法が使用されてもよい。例えば、最終的に支払わなかった過去のコレクトコールの宛先番号が、適切なＣＣレコードの遮断されたコレクトコールフィールドに追加される。さらに国際宛先番号に関する顧客のアカウントが、未払いの残高を有していると、宛先番号は適切なＣＣレコードの遮断されたコレクトコールフィールドに追加される。自動化プログラムあるいは不正制御コンソール１００における不正分析者のいずれかは、直接あるいは間接にＩＳＮプラットフォーム１５０に接続され、これらの宛先番号をＳＣＲＥＥＮＩＮＧ  ＩＮＴＥＲＮＡＴ’Ｌ４６０データベース内のＣＣレコードに追加するであろう。さらに、不正制御１００は、特定の国際宛先番号が疑いのある行動を示すかどうかを判定するために、ネットワークトラフィックをモニタする。典型的に、不正制御コンソール１００はまた、不正な宛先番号あるいは宛先番号のグループを記載し、外国の電話会社からの更新を受信する。
【００１９】
不正制御コンソール１００は、ＣＣレコードの遮断されたコレクトコールフィールドに置かれた数字を変えることで、より大きいあるいは小さな終了宛先番号を遮断する能力を有する。例えば、電話番号５５５−５４３３の一つの携帯電話が、遮断されたコレクトコールフィールドに５５５−５４３３を入力することでコレクトコールの受信を遮断され得るが、また５５５−５＊＊＊を入力することで、５５５−５で開始する一連の番号全体を遮断することが可能である。この「＊」はあらゆる番号を表し得る「ワイルドカード」の性質である。これは、番号全体が疑いのある携帯電話によって使用されるような場合に役に立つ。また不正制御１００が「５５５」のような宛先交換器における不正と収入の割合分析を使用するときにも役に立つ。ひとたびこの不正と収入の割合がある閾値に到達すると、不正分析者によって配置されるか、あるいは自動化プログラムの制御下の不正制御１００は、前記終了宛先交換器に遮断を置くかどうかを判定する。そうするように判定されると、終了宛先交換器は開始国のＩＮＴＥＲＮＡＴ’Ｌ  ＳＣＲＥＥＮＩＮＧデータベース４６０ＣＣレコードの遮断されたコレクトコールフィールドに置かれる。
【００２０】
好ましい実施例を使用する国内から国際へのコレクトコールの例が、図３を参照して先になされた模範的な呼び出しを検討する。電話１１１に位置する呼び出し者は、電話１１１からイギリスの自動車３９９に位置する携帯電話にコレクトコールをすることを試みる。この例において、携帯電話の電話番号は不正制御１００によって不正であると認識され、イギリスのＣＣレコードの遮断されたコレクトコールフィールドに入力されている一連の電話番号の一つである。コレクトコールはＬＥＣスイッチ１２２およびＰＯＰスイッチ１２５を介してＩＸＣネットワーク１３０へ経路制御され、そこでＩＸＣスイッチ１３７および１３２を介してブリッジスイッチ１３５へ接続される。ブリッジスイッチ１３５から、図４に示されているように、この発明の好ましい実施例に従って、コレクトコールはＩＳＮプラットフォーム１５０のＡＣＤ１４０に経路制御される。
【００２１】
ひとたび図４のＩＳＮプラットフォーム１５０に入ると、国内から国際へのコレクトコールはＭＴＯＣ１５４あるいはＡＲＵ１５２のいずれかに経路制御される。検証プロセスの一部として、イギリスのＣＣレコードはＡＲＵ１５２あるいはＭＴＯＣ１５４のいずれかによってアクセスされる。コレクトコールの宛先番号はＣＣレコードの遮断されたコレクトコールフィールドにおける一つあるいは複数の番号と比較される。ひとたび宛先携帯電話の番号がコレクトコールの受信を遮断される番号の一つであることが判定されると、採られてもよい行動の進路がいくつかある。コレクトコールは電話１１１の呼び出し者に状況を説明するために活動しているオペレータに経路制御され得る。自動化メッセージが電話１１１の呼び出し者に状況を説明することができるだろう。いずれにしても、代わりの請求方法の選択が呼び出し者に提示され得る。コレクトコールはまた突然終了され得る。突然の終了は不親切であるかもしれないが、説明のスクリプト（script）の間の呼び出し者の電話切断の数がある割合に到達するとすれば、それはハッカーのみがその電話番号への到達を試みていることを示唆しており、ＩＳＮプラットフォーム１５０のリソースはハッカーに不正活動の説明をするのに費やすべきではない。
【００２２】
ＳＣＲＥＥＮＩＮＧ  ＩＮＴＥＲＮＡＴ’Ｌデータベース４６０を使用すると、多くの不正な国内から国際へのコレクトコールが、開始前に、すなわちＩＸＣへの出費を省いて、抑えられ得る。ＣＣレコードにおける遮断されたコレクトコールフィールドに対して数字のサイズを設定しないことによって、呼び出しのこれらのタイプの遮断において、非常に細かいあるいは非常に粗いグラニュラリティ（granularity)が可能になる。別の実施例において、終了宛先番号と遮断されたコレクトコールフィールドに記載のものとを比較する前に、遮断されたコレクトコールフィールドに記載の宛先番号があるかどうかを判定するための、追加のステップがある。この方法において、遮断されたコレクトコールフィールドに記載の番号がなければ、リソースと時間は比較を行うのに費やされない。
【００２３】
当業者は理解するであろうように、この発明の理解に不必要な詳細において、この発明をあいまいにしないために電気通信ネットワークの多くの要素が省かれている。さらに、上述の実施例は好ましい実施例であるが、多くの修正が当業者には自明であろう。
【００２４】
この発明はある好ましい実施例を参照して述べられてきたが、この発明はこの特定の実施例に限定されるのもではなく、逆にこの発明は、添付のクレームと共に定義されるこの発明の精神および範囲内に収まるすべての修正、均等物および代替物をカバーすることを意図することが理解されるべきである。
【図面の簡単な説明】
【００２５】
前述および他の目的、局面および利点は、以下の図面に例示されているように、好ましい実施例の以下の詳細な記述からより理解されるであろう。図面において、類似の参照番号は同様あるいは機能的に類似の要素を提示する。
【図１Ａ】長距離電気通信システムを介して模範的な国内コレクトコールの概要を例示する図である。
【図１Ｂ】長距離電気通信システムを介して模範的な国内コレクトコールの概要を例示する図である。
【図２】先行技術に従う、不正制御システムに関係する模範的で簡単な呼び出し処理プラットフォームの概要を例示する図である。
【図３】先行技術に従う、長距離電気通信システムを介して模範的な国内から国際へのコレクトコールの概要を例示する図である。
【図４】このシステムおよび方法の好ましい実施例に従う、不正制御システムに関係する模範的で単純化された呼び出し処理プラットフォームの概要を例示する図である。
【図１Ａ】
2004537194.tif 000003
【図１Ｂ】
2004537194.tif 000004
【図２】
2004537194.tif 000005
【図３】
2004537194.tif 000006
【図４】
2004537194.tif 000007
【国際公開パンフレット】
2004537194.tif 000008
2004537194.tif 000009
2004537194.tif 000010
2004537194.tif 000011
2004537194.tif 000012
2004537194.tif 000013
2004537194.tif 000014
2004537194.tif 000015
2004537194.tif 000016
2004537194.tif 000017
2004537194.tif 000018
2004537194.tif 000019
2004537194.tif 000020
2004537194.tif 000021
2004537194.tif 000022
2004537194.tif 000023
2004537194.tif 000024
2004537194.tif 000025
2004537194.tif 000026
2004537194.tif 000027
2004537194.tif 000028
2004537194.tif 000029
2004537194.tif 000030
2004537194.tif 000031
2004537194.tif 000032
【国際調査報告】
2004537194.tif 000033